(57)【要約】【課題】意匠性の低下を抑制しつつ、壁面に取り付けられたカウンターが張り出すことによる圧迫感を抑制する。【解決手段】カウンター１は、上面が平面状の載置面１１であり、前方部の少なくとも一部が透光性を有するカウンター本体１０と、載置面１１よりも下側において、カウンター本体を壁面に取り付ける取付部材３０とを備える。こうすれば、カウンター１の張り出し感が薄まるので、カウンターが壁面から張り出すことによる圧迫感を抑制することができる。また、カウンター本体１０は平面視で取付部材３０を隠蔽する隠蔽部１７を有している。このため、取付部材が平面視で隠蔽され、意匠性の低下を抑制することができる。【選択図】図４
2019041835.tif 000002
【特許請求の範囲】
【請求項１】
上面が平面状の載置面であり、前方部の少なくとも一部が透光性を有するカウンター本体と、
前記載置面よりも下側において、前記カウンター本体を壁面に取り付ける取付部材と、
を備え、
前記カウンター本体は平面視で前記取付部材の少なくとも一部を隠蔽する隠蔽部を有していることを特徴とするカウンター。
【請求項２】
前記隠蔽部は、前記載置面の一部を構成するとともに、上面が前記載置面を構成する他の部分の上面を仮想的に延長した平面よりも低めに形成されていることを特徴とする請求項１に記載のカウンター。
【発明の詳細な説明】
【技術分野】
【０００１】
本発明は壁面に取り付けられるカウンターに関するものである。
【背景技術】
【０００２】
特許文献１には壁面に取り付けられる従来のカウンターが開示されている。このカウンターは、シャンプーやリンスなどの小物を置くことができるようになっている。また、このカウンターは、上面が平面状の載置面となっており、この載置面よりも下側の部分が壁面に取り付けられている。このため、このカウンターは、載置面の上側において、載置面を取り付ける取付部材を設けなくてもよいので、その分、載置面を壁面に寄せることができ、カウンターの壁面からの張り出しを少なくすることができる。
【先行技術文献】
【特許文献】
【０００３】
【特許文献１】特開２０１２−０４５０２５号公報
【発明の概要】
【発明が解決しようとする課題】
【０００４】
しかし、特許文献１のカウンターは、壁面からの張り出しを少なくしても、壁面から張り出していることに変わりはないため、壁面からの張り出しによる圧迫感を与えてしまう。そこで、カウンターの壁面からの張り出しによる圧迫感を抑制するためにカウンターを透明な部材で形成することが考えられる。しかし、この場合、カウンターの壁面への取付部材などが透けて見えてしまうと、カウンターの意匠性が低下するおそれがある。
【０００５】
本発明は、上記従来の実情に鑑みてなされたものであって、意匠性の低下を抑制しつつ、圧迫感を抑制することができるカウンターを提供することを解決すべき課題としている。
【課題を解決するための手段】
【０００６】
本発明のカウンターは、
上面が平面状の載置面であり、前方部の少なくとも一部が透光性を有するカウンター本体と、
前記載置面よりも下側において、前記カウンター本体を壁面に取り付ける取付部材と、
を備え、
前記カウンター本体は平面視で前記取付部材の少なくとも一部を隠蔽する隠蔽部を有していることを特徴とする。
【０００７】
このカウンターのカウンター本体は、上面が平面状の載置面であり、この載置面よりも下側の部分が壁面に取り付けられる。このため、載置面の上側において、載置面を取り付ける取付部材を設けなくてもよいので、その分、載置面を壁面に寄せることができ、カウンターの壁面からの張り出しを少なくすることができる。
また、このカウンターは上記カウンター本体の前方部の少なくとも一部が透光性を有している。これによって、カウンターの張り出し感が薄まるので、カウンターが張り出していることによる圧迫感を抑制することができる。但し、このようにカウンター本体に透光性を持たせることによって、カウンター本体を壁面に取り付ける取付部材が透けて見えてしまうと、意匠性が低下してしまう。そこで、このカウンターでは、この取付部材の少なくとも一部を平面視で隠蔽する隠蔽部をカウンター本体に設けている。このため、このカウンターは、取付部材の少なくとも一部が平面視で隠蔽され、意匠性の低下を抑制することができる。すなわち、このカウンターは、意匠性の低下を抑制しつつ、カウンターが張り出すことによる圧迫感を抑制することができる。
【図面の簡単な説明】
【０００８】
【図１】壁面に取り付けられた状態のカウンターを示した説明図である。
【図２】カウンターを後方から見た分解斜視図である。
【図３】図１の矢視Ａ−Ａ断面図である。
【図４】カウンターの平面図である。
【図５】カウンターの右側面図である。
【図６】実施例２のカウンターを前方から見た分解斜視図である。
【図７】実施例２の隠蔽部材の平面図である。
【図８】実施例１のカウンター本体の他の例である。
【発明を実施するための形態】
【０００９】
本発明における好ましい実施の形態を説明する。
【００１０】
本発明のカウンターの前記隠蔽部は、前記載置面の一部を構成するとともに、上面が前記載置面を構成する他の部分の上面を仮想的に延長した平面よりも低めに形成され得る。この場合、このカウンターは、載置面に置かれた物が、低い位置にある隠蔽部に接触しにくくなるので、物の接触による隠蔽部の剥がれを抑制することができる。例えば、隠蔽部が塗装によるものである場合には、塗装の剥がれを抑制することができるので、このカウンターは塗装が剥がれることによって隠蔽効果が低下することを抑制することができる。また、隠蔽部が別部材で構成される場合には、この別部材の端部に物が引っ掛かりにくくなるので、このカウンターは物が引っ掛かることによって隠蔽部としての別部材が外れてしまうことを抑制することができる。
【００１１】
次に、本発明のカウンターを具体化した実施例１について、図面を参照しつつ説明する。
【００１２】
＜実施例１＞
実施例１のカウンター１は、図１に示すように、浴室などの壁面２に取り付けられるものである。なお、以下では、カウンター１に対して、このカウンター１が取り付けられる壁面２側の方向を後方、その反対方向を前方、カウンター１を前方から見て左側の方向を左方、右側の方向を右方として説明する。
【００１３】
カウンター１は、図２に示すように、カウンター本体１０と、４つの取付部材３０とを有している。カウンター本体１０は、壁面２に取り付けられた状態で真上から見ると、壁面２に沿って長い長方形状である。カウンター本体１０は上面が平面状の載置面１１となっている。この載置面１１は、石鹸やシャンプー、リンス等の小物が置かれる。なお、載置面１１は、面一の面に限らず、置かれた物が倒れない程度の小さな段差を有する面であってもよい。
【００１４】
取付部材３０は、図２及び図３に示すように、カウンター本体１０を壁面２に取り付ける部材である。取付部材３０は非透明であり、強度を確保するためにＡＢＳ樹脂等で形成されている。取付部材３０は頭部３１と首部３２とを有している。頭部３１は前後方向を軸とした略筒状である。首部３２は頭部３１の背面から同軸上に延びる筒状である。首部３２は外径が頭部３１の外径よりも小さい。取付部材３０は頭部３１および首部３２によって、ねじ３３の軸部が挿通される貫通口が形成されている。貫通口の入り口は、取付部材３０の前面から後方にへこんだ凹部の底面に形成されている。取付部材３０を壁面２にねじ３３によって固定する際、ねじ３３の軸部を貫通孔の前方から挿通し、ねじ３３のねじ頭が取付部材３０の凹部の底面に当接するまで壁面２にねじ込む。取付部材３０は壁面２に固定されると、頭部３１と首部３２とが壁面２から前方に突出した状態となる。
【００１５】
カウンター本体１０は、各２個の第１リブ４０，４１と、第２リブ４２，４３とを有している。第１リブ４０，４１は対になっている。第１リブ４０，４１は、カウンター本体１０における天板後部の下面から下方に突出して前後方向に延び、カウンター本体１０の左右側に一対ずつ形成されている。第２リブ４２，４３は、カウンター本体１０の中央部に左右方向に離れて形成されている。また、カウンター本体１０は取付部材３０に係止する２個の第１被取付部１２Ａと、２個の第２被取付部１２Ｂとを有している。各第１被取付部１２Ａは、左右両端が各第１リブ４０，４１の後端部に連続し、上端がカウンター本体１０の天板後端部に連続した平板であり、下方に開いた切欠き部が形成されている。カウンター本体１０は、第１被取付部１２Ａの前側に取付部材３０の頭部３１が嵌まり込む第１収納空間ＳＡが形成されている。
【００１６】
切欠き部は、上端部、中間部、拡大部、及び下端部から形成されている。上端部は、上方に膨らんだ半円形状に切り欠かれている。この半円形状は直径が取付部材３０の頭部３１の外径よりも小さく首部３２の外径よりも僅かに大きい。中間部は上端部の両端から下方に平行に延びて切り欠かれている。拡大部は中間部の下端から左右方向に広がるように切り欠かれている。下端部は拡大部よりも広がり具合が小さく下端の左右方向の幅が取付部材３０の頭部３１の外径よりも大きい。第１被取付部１２Ａは、カウンター本体１０を壁面２に取り付けた際に、水平方向に並べて固定される４つの取付部材３０のうち、外側２つの取付部材３０に対応する位置に形成されている。
【００１７】
第２被取付部１２Ｂは、図２に示すように、各第２リブ４２，４３の上端から中間部にかけてカウンター本体１０の左右方向内側に張り出しており、上端がカウンター本体１０の天板後端部に連続した平板である。カウンター本体１０は、第２被取付部１２Ｂの前側に取付部材３０の頭部３１が嵌まり込む第２収納空間ＳＢが形成されている。
【００１８】
第２被取付部１２Ｂの上下方向の中間部から上方にかけて、第２リブ４２，４３から左右方向内側に張り出した部分同士の間隔は、内側２つの取付部材３０の頭部３１間の間隔よりも小さく、内側２つの取付部材３０の首部３２間の間隔よりも大きい。第２被取付部１２Ｂの下端部における第２リブ４２，４３から左右方向内側に張り出していない部分同士の間隔は、内側２つの取付部材３０の頭部３１間の間隔よりも大きい。第２被取付部１２Ｂは、カウンター本体１０を壁面２に取り付けた際に、水平方向に並べて固定される４つの取付部材３０のうち、内側２つの取付部材３０に対応する位置に形成されている。
【００１９】
カウンター本体１０はカウンター１が壁面２に取り付けられた状態において載置面１１が後方に傾斜する。カウンター本体１０は載置面１１の後方（カウンター本体１０の後端部）に左右方向に延びる凹部が形成されている。この凹部は湾曲した面で形成されている。この凹部はカウンター１が壁面２に取り付けられた状態において、壁面２との間で溝部を形成する。
【００２０】
カウンター本体１０は、上方への抜けを防止する抜止部材２０を有している。抜止部材２０は、図３に示すように、軸部２１と、板部２２と、係止部２３と、抜止部２４とを有している。抜止部材２０は、前後方向の断面形状が略Ｌ字状に形成されている。抜止部材２０は、軸部２１がＬ字部分の上端に形成されており、軸部２１から板部２２が延設され、板部２２から直交して係止部２３および抜止部２４が形成されている。軸部２１は、左右方向を回転軸として回転自在に軸支されている。このため、抜止部材２０は、Ｌ字部分の上端にある軸部２１を回転軸として回転する。抜止部材２０は係止部２３が係止されると回転しなくなる。以下では、抜止部材２０が係止された状態を係止状態と称する。
【００２１】
係止部２３は、板部２２の左右中央部から延出し、板状に形成され、係止状態における先端上部に左右方向に延びた半円柱状の凸部が形成されている。抜止部２４は、係止部２３の周りを囲むようにして、係止部２３と略同一平面上に広がる板状に形成されている。抜止部２４は、係止状態における先端上部に左右方向に延びる三角柱状の凸部が形成されている。係止部２３の左右両側と先端側は、抜止部との間に隙間が形成されている。抜止部材２０は右方から見て反時計回りに回転して、カウンター本体１０の天板から下方に延びる被係止部１３に係止部２３の凸部が引っ掛かると係止される。抜止部２４は係止状態において、取付部材３０の真下に位置する。
【００２２】
カウンター本体１０は、本体部１６と、隠蔽部１７とを有している。本体部１６はカウンター本体１０の略全体を形成している。本体部１６は透明の樹脂製である。隠蔽部１７は本体部１６の表面に施した塗装である。この塗装は、本体部１６における後端部の上面及び左右側面に施されている。但し、塗装は溝部を形成する凹部には施されていない。このため、取付部材３０は、図４に示すように、溝部の部分を除いて、平面視で隠蔽部１７によって隠蔽される。
【００２３】
載置面１１は本体部１６の上面と隠蔽部１７の上面とで形成されている。載置面１１は図５に示すように、塗装された部分が、塗装されていない部分を仮想的に延長した平面よりも低めに形成されている。換言すると、載置面１１は、塗装される部分が、塗装された後でも塗装されていない部分を仮想的に延長した平面よりも低めになるように段差が付けられている。例えば、塗装の厚みを０．５ｍｍとする場合には、塗装される部分の上面を、塗装のない部分を仮想的に延長した平面よりも１．０ｍｍ低く形成しておくことで、塗装をした状態でも、塗装されていない部分を仮想的に延長した平面よりも０．５ｍｍ低めに形成する。なお、隠蔽部１７の上面は本体部１６の上面との段差が０．５ｍｍであり、置かれた物が倒れない程度の段差であるため、本体部１６の上面とともに載置面１１として機能する。
【００２４】
以上説明したように、実施例１のカウンター１は、上面が平面状の載置面１１となっており、その載置面１１の下側において、取付部材３０によって壁面２に取り付けられる。このため、取付部材３０を載置面１１の上側に取り付ける場合と比較して載置面１１を壁面２寄りに形成して、カウンター１の壁面２からの張り出しを少なくことができる。また、カウンター本体１０が透明の樹脂で形成されている。このため、カウンター本体１０の張り出し感が薄まるので、カウンター本体１０の張り出しによる圧迫感を抑制することができる。さらに、カウンター本体１０は後端部が溝部を除いて塗装されている。このため、取付部材３０が溝部の部分を除き、平面視で隠蔽される。従って、取付部材３０が透けて見えてしまうことによる意匠性の低下を抑制しつつ、張り出し感を抑制することができる。また、溝部は湾曲した面で形成されているため、平面視で溝部を通して首部３２は見難くなっている。これによって、取付部材３０が透けて見えてしまうことによる意匠性の低下を抑制することができる。
【００２５】
また、実施例１のカウンター１の載置面１１は、塗装されている部分が塗装されていない部分を仮想的に延長した平面よりも低めに形成されている。このため、載置面１１に置かれた物が隠蔽部１７に接触しにくくなるので、物が隠蔽部１７に接触することによる塗装の剥がれを抑制することができる。
【００２６】
＜実施例２＞
実施例２のカウンター１０１は、図６に示すように、カウンター本体１１０がカウンター部材５０と隠蔽部材６０とを有し、隠蔽部材６０で取付部材３０を隠蔽し、その隠蔽部材６０に対してカウンター部材５０を取り付ける点が実施例１と相違する。実施例１と同一の構成は同一の符号を付し、詳細な説明を省略する。
【００２７】
カウンター本体１１０は、カウンター部材５０と、隠蔽部材６０とを有している。カウンター部材５０は壁面２に取り付けられた状態で真上から見ると、壁面２に沿って長い長方形状である。カウンター部材５０は透明の樹脂製である。カウンター部材５０は上面が平面状の載置面１１１となっている。隠蔽部材６０は、取付部材３０を平面視で隠蔽する部材であり、本発明の隠蔽部に相当する。隠蔽部材６０は非透明の樹脂製であり、上面、前面、および左右側面が閉じられて形成されている。隠蔽部材６０は、左右方向の長さがカウンター部材５０よりも少し短くなっており、左右側面の外側において前後方向に延びる四角柱状の凸部６１が形成されている。カウンター部材５０は左右側面の内側に、前後方向に亘る凹部５１が形成されている。カウンター部材５０は凹部５１が隠蔽部材６０の凸部６１に嵌合されることで、隠蔽部材６０に組付けられる。
【００２８】
隠蔽部材６０は、実施例１で説明したカウンター本体１０と同じように、背面側に第１リブ４０，４１、第２リブ４２，４３、第１被取付部１２Ａ、第２被取付部１２Ｂ、第１収納空間ＳＡ、及び第２収納空間ＳＢが形成されている。また、隠蔽部材６０は、実施例１で説明したカウンター本体１０の抜止部材２０と同様の抜止部材７０を有している。隠蔽部材６０は、被取付部を取付部材３０に引っ掛けることで壁面２に取り付けられる。各取付部材３０は、隠蔽部材６０が壁面２に取り付けられた状態では、第１収納空間ＳＡ又は第２収納空間ＳＢに収納される。このため、隠蔽部材６０は、図７に示すように、平面視で取付部材３０を隠蔽する。カウンター部材５０は平面視で取付部材３０を隠蔽した状態の隠蔽部材６０に対して組付けられる。
【００２９】
以上説明したように、実施例２のカウンター１０１は、実施例１のカウンター１と同様に、載置面１１が壁面２寄りに形成されているので、カウンター１の壁面２からの張り出しを少なくことができる。また、載置面１１を形成するカウンター部材５０が透明の樹脂製である。このため、カウンター１０１の張り出し感が薄まるので、カウンター１０１の張り出しによる圧迫感を抑制することができる。さらに、取付部材３０は隠蔽部材６０によって平面視で隠蔽され、この隠蔽部材６０に対してカウンター部材５０が組付けられる。このため、平面視で取付部材３０が隠蔽され、取付部材３０が透けて見えてしまうことによる意匠性の低下を抑制することができる。
【００３０】
＜他の実施例＞
本発明は上記記述及び図面によって説明した実施例１及び２に限定されるものではなく、例えば次のような実施例も本発明の技術的範囲に含まれる。
（１）実施例１では、本体部の表面を塗装することによって隠蔽部を形成したが、別の表面処理によって隠蔽部を形成してもよい。例えば、メッキ、蒸着、フィルム貼等の表面処理を施すことによって隠蔽部を形成してもよい。また、実施例１では、本体部に表面処理を施すことによって隠蔽部を形成したが、図８に示すように、隠蔽部１７を非透明のフレーム材とし、このフレーム材を本体部１６に取り付けるようにしてもよい。この場合、本体部１６におけるフレーム材が取り付けられる部分は、本体部１６に取り付けられた状態のフレーム材の上面が、載置面１１を形成する他の部分を仮想的に延長した平面よりも低くなるように段差をつけておくことが好ましい。こうすれば、フレーム材の上面は、本体部１６に取り付けられた状態でも、載置面１１を形成する他の部分を仮想的に延長した平面よりも低くなるので、フレーム材の端部に物が引っ掛かりにくくなり、その結果、フレーム材が剥がれてしまうことを抑制することができる。また、透明な材料と非透明な材料とによる材着（二色成形）によってカウンター本体を成形して、非透明部分の少なくとも一部を隠蔽部としてもよい。こうすれば、本体部と隠蔽部とを別部材としたことによって本体部と隠蔽部との間に水などが侵入して汚れるような事態の発生を防止することができる。
（２）実施例１および実施例２では、取付部材を予め壁面に固定しておき、その取付部材にカウンター本体を引っ掛けることでカウンター本体を壁面に取り付けるようにしたが、別の方法で取り付けてもよい。例えば、カウンター本体と壁面とにそれぞれねじ穴をあけておき、カウンター本体を取付部材としてのねじで壁面に取り付けるようにしてもよい。
（３）実施例１および実施例２では、カウンター本体の本体部又はカウンター部材を透明としたが、透光性を有していればよいので、半透明としてもよい。
（４）実施例１では、溝部を形成する凹部を塗装しない構成としたが、凹部も塗装する構成としてもよい。この場合、取付部材３０全体を平面視で隠蔽することができる。また、凹部（溝部）を有さず、載置面１１が壁面２から連続して形成される構成としてもよい。この場合にも、取付部材３０全体を平面視で隠蔽することができる。
（５）実施例１および実施例２では、カウンター本体の前方部全体が透明となっているが、前方部の少なくとも一部が透明となっていればよい。すなわち、前方部の一部が非透明であってもよい。この場合であっても、前方部が透明となっている部分によって、カウンターの張り出しによる圧迫感を抑制することができる。
（６）実施例１および実施例２では、取付部材の数を４つとしたが、４つ以外の所定数としてもよい。また、一部（具体的には外側の２つ）の取付部材に対してのみ抜止部材を設けているが、すべての取付部材に対して抜止部材を設けるようにしてもよい。
【符号の説明】
【００３１】
１、１０１…カウンター
２…壁面
１０、１１０…カウンター本体
１１、１１１…載置面
１２Ａ，１２Ｂ…被取付部
１６…本体部
１７…隠蔽部
３０…取付部材
６０…隠蔽部材
【図１】
2019041835.tif 000003
【図２】
2019041835.tif 000004
【図３】
2019041835.tif 000005
【図４】
2019041835.tif 000006
【図５】
2019041835.tif 000007
【図６】
2019041835.tif 000008
【図７】
2019041835.tif 000009
【図８】
2019041835.tif 000010